(57)【要約】【課題】エンジン始動ロック機能の認証処理の際の操作性を向上させ得る作業車輌を提供する。【解決手段】制御装置は、キー部材のオフ位置からオン位置への操作に応じて液晶表示部を、記憶認証情報の桁数に応じた第１〜第ｎ（ｎは２以上の整数）の表示枠が表示された認証画面へ移行させ、前記認証画面において入力操作部材によって入力される記号を前記第１〜第ｎの表示枠のそれぞれに表示させ、前記第１〜第ｎの表示枠に表示された記号によって画される入力認証情報が前記記憶認証情報に一致するか否かを判定する。【選択図】図５
2016022915.tif 000002
【特許請求の範囲】
【請求項１】
入力操作部材を介して入力された入力認証情報が予め記憶されている記憶認証情報と一致した場合にのみ、キー部材のスタート位置への操作に応じたスターターモーターによるエンジン始動を許可するエンジン始動ロック機能を備えた作業車輌であって、
前記入力認証情報を入力する入力操作部材と、液晶表示部を有する表示手段と、制御装置とを備え、
前記制御装置は、前記キー部材のオフ位置からオン位置への操作に応じて前記液晶表示部を、前記記憶認証情報の桁数に応じた第１〜第ｎ（ｎは２以上の整数）の表示枠が表示された認証画面へ移行させ、前記認証画面において前記入力操作部材によって入力される記号を前記第１〜第ｎの表示枠のそれぞれに表示させ、前記第１〜第ｎの表示枠に表示された記号によって画される前記入力認証情報が前記記憶認証情報に一致するか否かを判定することを特徴とする作業車輌。
【請求項２】
前記記憶認証情報は、各桁が所定の記号群の中から選択された記号によって形成されており、
前記入力操作部材は、軸線回りに回転される第１操作及び軸線方向に押圧される第２操作が可能とされ、
前記制御装置は、前記認証画面において、前記第１の表示枠を入力可能状態とし、前記入力操作部材への第１操作に応じて前記第１の表示枠に前記記号群の記号を順番に表示させ、前記入力操作部材への第２操作が行われた時点で表示されている記号を当該第１の表示枠に表示させたままで、次の表示枠を入力可能状態として同様の処理を行うことを第ｎの表示枠まで繰り返し、第ｎの表示枠に対する前記入力操作部材への第２操作の後に、前記入力認証情報が前記記憶認証情報に一致するか否かを判定することを特徴とする請求項１に記載の作業車輌。
【請求項３】
前記制御装置は、前記認証画面に前記第１〜第ｎの表示枠に加えて、確定アイコン及びリターンアイコンを表示させ、前記第ｎの表示枠に対する前記入力操作部材への第２操作に応じて、前記入力操作部材への第１操作によって前記確定アイコン及び前記リターンアイコンを選択でき且つ前記入力操作部材への第２操作によって選択中のアイコンを決定できる状態を現出させ、前記確定アイコンが決定操作されると、その時点で前記表示枠に表示されている入力認証情報が前記記憶認証情報に一致するか否かを判定し、前記リターンアイコンが決定操作されると前記入力認証情報を再入力可能な状態へ移行させることを特徴とする請求項２に記載の作業車輌。
【請求項４】
前記制御装置は、前記認証画面において前記入力認証情報が前記記憶認証情報と一致すると判定された後において、所為の人為操作が行われると、前記液晶表示部をエンジン始動ロック機能切替画面へ移行させ、前記エンジン始動ロック機能切替画面においても前記認証画面における認証処理と同様の認証処理を可能とし、前記エンジン始動ロック機能切替画面において入力された入力認証情報が前記記憶認証情報に一致する場合に、前記エンジン始動制限機能の有効又は無効の人為選択を可能としたことを特徴とする請求項２又は３に記載の作業車輌。
【発明の詳細な説明】
【技術分野】
【０００１】
本発明は、入力認証情報が記憶認証情報に一致した場合にのみエンジン始動を許可するエンジン始動ロック機能を備えた作業車輌に関する。
【背景技術】
【０００２】
作業車輌等の車輌に、エンジン始動ロック機能を備えることは従来から提案されている。
【０００３】
例えば、下記特許文献１には、キー部材のスタート位置への操作回数を入力認証情報とし、前記入力認証情報が予め記憶されている記憶認証情報に一致する場合にのみ、エンジンの始動が許可されるように構成された車輌が開示されている。
【０００４】
前記特許文献１に記載の構成は、既存の前記キー部材のスタート位置への操作回数を入力認証情報として用いており、追加部材を要すること無く、エンジン始動ロック機能を得ることができる点において有用であるが、単一の前記キー部材のスタート位置への操作回数に基づいて認証を行うものであるから、安全性（認証情報の組み合わせ数）の観点で限度がある。
【０００５】
さらに、前記キー部材のスタート位置への操作回数を入力認証情報として用いている為、操縦者が、何らかの操作ミスによって、前記キー部材を、記憶認証情報として記憶されている回数より多く、スタート位置に操作してしまうと、前記入力認証情報の修正を行うことができず、結果として、認証作業を最初からやり直す必要が生じる。
【０００６】
また、下記特許文献２には、人為操作可能な第１スイッチの操作回数及び人為操作可能な第２スイッチの操作回数を入力認証情報として用い、前記入力認証情報が予め記憶されている記憶認証情報と一致する場合にのみ、エンジンに始動を許可するように構成された作業車輌が開示されている。
【０００７】
前記特許文献２に記載の構成は、前記第１及び第２スイッチの二つのスイッチの操作回数を入力認証情報として用いるものであり、単一の操作部材である前記キー部材の操作回数を入力認証情報として用いる前記特許文献１に記載の構成に比して、安全性（認証情報の組み合わせ数）を向上させることができる。
【０００８】
しかしながら、前記特許文献２に記載の構成においても、スイッチの操作回数を入力認証情報として用いており、従って、操縦者が、何らかの操作ミスによって、前記第１又は第２スイッチを、記憶認証情報として記憶されている回数より多く、操作してしまうと、前記入力認証情報の修正を行うことができず、結果として、認証作業を最初からやり直す必要が生じる。
【先行技術文献】
【特許文献】
【０００９】
【特許文献１】特開２００５−２５５１３４号公報
【特許文献２】特開２０１３−０２８１９０号公報
【発明の概要】
【発明が解決しようとする課題】
【００１０】
本発明は、斯かる従来技術に鑑みなされたものであり、入力認証情報が記憶認証情報に一致した場合にのみエンジン始動を許可するエンジン始動ロック機能を備えた作業車輌であって、認証処理の歳の操作性を向上させ得る作業車輌の提供を目的とする。
【課題を解決するための手段】
【００１１】
本発明は、前記目的を達成するために、入力操作部材を介して入力された入力認証情報が予め記憶されている記憶認証情報と一致した場合にのみ、キー部材のスタート位置への操作に応じたスターターモーターによるエンジン始動を許可するエンジン始動ロック機能を備えた作業車輌であって、前記入力認証情報を入力する入力操作部材と、液晶表示部を有する表示手段と、制御装置とを備え、前記制御装置は、前記キー部材のオフ位置からオン位置への操作に応じて前記液晶表示部を、前記記憶認証情報の桁数に応じた第１〜第ｎ（ｎは２以上の整数）の表示枠が表示された認証画面へ移行させ、前記認証画面において前記入力操作部材によって入力される記号を前記第１〜第ｎの表示枠のそれぞれに表示させ、前記第１〜第ｎの表示枠に表示された記号によって画される前記入力認証情報が前記記憶認証情報に一致するか否かを判定する作業車輌を提供する。
【００１２】
前記記憶認証情報は、各桁が所定の記号群の中から選択された記号によって形成され得る。
この場合、前記入力操作部材は、軸線回りに回転される第１操作及び軸線方向に押圧される第２操作が可能とされ、前記制御装置は、前記認証画面において、前記第１の表示枠を入力可能状態とし、前記入力操作部材への第１操作に応じて前記第１の表示枠に前記記号群の記号を順番に表示させ、前記入力操作部材への第２操作が行われた時点で表示されている記号を当該第１の表示枠に表示させたままで、次の表示枠を入力可能状態として同様の処理を行うことを第ｎの表示枠まで繰り返し、第ｎの表示枠に対する前記入力操作部材への第２操作の後に、前記入力認証情報が前記記憶認証情報に一致するか否かを判定するように構成され得る。
【００１３】
好ましくは、前記制御装置は、前記認証画面に前記第１〜第ｎの表示枠に加えて、確定アイコン及びリターンアイコンを表示させ、前記第ｎの表示枠に対する前記入力操作部材への第２操作に応じて、前記入力操作部材への第１操作によって前記確定アイコン及び前記リターンアイコンを選択でき且つ前記入力操作部材への第２操作によって選択中のアイコンを決定できる状態を現出させ、前記確定アイコンが決定操作されると、その時点で前記表示枠に表示されている入力認証情報が前記記憶認証情報に一致するか否かを判定し、前記リターンアイコンが決定操作されると前記入力認証情報を再入力可能な状態へ移行させるように構成され得る。
【００１４】
好ましくは、前記制御装置は、前記認証画面において前記入力認証情報が前記記憶認証情報と一致すると判定された後において、所為の人為操作が行われると、前記液晶表示部をエンジン始動ロック機能切替画面へ移行させ、前記エンジン始動ロック機能切替画面においても前記認証画面における認証処理と同様の認証処理を可能とし、前記エンジン始動ロック機能切替画面において入力された入力認証情報が前記記憶認証情報に一致する場合に、前記エンジン始動制限機能の有効又は無効の人為選択を可能とされ得る。
【発明の効果】
【００１５】
本発明に係る作業車輌によれば、制御装置が、キー部材のオフ位置からオン位置への操作に応じて液晶表示部を、記憶認証情報の桁数に応じた第１〜第ｎ（ｎは２以上の整数）の表示枠が表示された認証画面へ移行させ、前記認証画面において入力操作部材によって入力される記号を前記第１〜第ｎの表示枠のそれぞれに表示させ、前記第１〜第ｎの表示枠に表示された記号によって画される前記入力認証情報が前記記憶認証情報に一致するか否かを判定するように構成されているので、エンジン始動ロック機能における認証処理の際の操作性を向上させることができる。
【図面の簡単な説明】
【００１６】
【図１】図１は、本発明の一実施の形態に係る作業車輌の斜視図である。
【図２】図２は、前記作業車輌の背面図である。
【図３】図３は、前記作業車輌の伝動模式図である。
【図４】図４は、前記作業車輌における制御ブロック図である。
【図５】図５は、エンジン始動制御モードの制御フローである。
【図６】図６は、液晶表示部における認証画面の一例の模式図である。
【図７】図７は、エンジン始動ロック機能切替用サブルーチンの制御フローである。
【発明を実施するための形態】
【００１７】
以下、本発明に係る作業車輌の好ましい実施の形態について、添付図面を参照しつつ説明する。
図１〜図３に、それぞれ、本実施の形態に係る作業車輌１の斜視図、背面図及び伝動模式図を示す。
【００１８】
図１〜図３に示すように、本実施の形態に係る前記作業車輌１はトラクタの形態をなしている。
詳しくは、図１〜図３に示すように、前記作業車輌１は、車輌フレーム１０と、前記車輌フレーム１０に支持された運転席１５と、前記車輌フレーム１０に支持されたエンジン５０と、左右一対の前輪２０Ｆと、左右一対の後輪２０Ｒと、前記エンジン５０からの回転動力を駆動輪に伝達する走行系伝動構造６０と、外部に向けて回転動力を出力するＰＴＯ軸９５と、前記エンジン５０からの回転動力を前記ＰＴＯ軸９５に伝達するＰＴＯ系伝動構造８０と、制御装置１００とを有している。
【００１９】
図３に示すように、本実施の形態においては、前記走行系伝動構造６０は、主変速装置として作用する油圧式無段変速装置（ＨＳＴ）６１、前後進切換装置６２及び副変速装置として作用するギヤ式多段変速装置６３を有している。
【００２０】
前記ＨＳＴ６１は、図３に示すように、メインクラッチ５１を介して入力される前記エンジン５０からの回転動力を無段変速するように構成されている。
なお、図３中の符号５２及び５３は、前記メインクラッチ５１を介して入力される前記エンジン５０からの回転動力によって駆動されるチャージポンプ及び補助ポンプである。
【００２１】
前記前後進切換装置６２は、前記ＨＳＴ６１から作動的に伝達される回転動力の回転方向を切り替えて出力するように構成されている。
【００２２】
詳しくは、前記前後進切換装置６２は、前記ＨＳＴ６１からの回転動力を正転方向（前進方向）の回転動力として前記駆動輪へ向けて出力する前進状態、前記ＨＳＴ６１からの回転動力を逆転方向（後進方向）の回転動力として前記駆動輪へ向けて出力する後進状態、及び、前記ＨＳＴ６１から前記駆動輪への動力伝達を遮断する中立状態を選択的にとり得るように構成されている。
【００２３】
前記ギヤ式多段変速装置６３は、前記前後進切換装置６２の伝動方向後流側に配設されており、前記前後進切換装置６２を介して入力される回転動力を多段変速して、走行系出力軸６５に伝達する。
【００２４】
又、本実施の形態においては、図３に示すように、前記走行系伝動構造６０は、さらに、前記走行系出力軸６５の回転動力を主駆動輪として作用する前記一対の後輪２０Ｒに差動伝達する主駆動輪側デファレンシャルギヤ装置６６と、前記走行系出力軸６５の回転動力を入力するサブ駆動輪駆動装置７０と、前記サブ駆動輪駆動装置７０からの回転動力をサブ駆動輪として作用する前記一対の前輪２０Ｆに差動伝達するサブ駆動輪側デファレンシャルギヤ装置７１と、前記左右一対のメイン駆動輪にそれぞれ制動力を付加し得る左右一対のブレーキ装置７５Ｌ、７５Ｒとが備えられている。なお、図３においては、左側ブレーキ装置７５Ｌのみ図示している。
【００２５】
前記サブ駆動輪駆動装置７０は、サブ駆動輪駆動切換操作部材１４５への人為操作に応じて、前記サブ駆動輪（本実施の形態においては前記前輪２０Ｆ）が前記メイン駆動輪（本実施の形態においては後輪２０Ｒ）と、常時、等速駆動されるように前記走行系出力軸６５の回転動力を前記サブ駆動輪へ向けて出力する４駆等速状態と、車輌旋回角が所定角以下の場合には前記サブ駆動輪が前記メイン駆動輪と等速で駆動され且つ前記旋回角が所定角を超えた場合には前記サブ駆動輪が前記メイン駆動輪より高速（例えば約２倍速）で駆動されるように前記走行系出力軸６５の回転動力を前記サブ駆動輪へ向けて出力する４駆旋回時増速状態と、前記サブ駆動輪を駆動しない２駆状態とを選択的にとり得るように構成されている。
【００２６】
前記一対のブレーキ装置７５Ｌ、７５Ｒは、人為操作される一対のブレーキ操作部材（図示せず）への人為操作に応じて、個別に、ブレーキ作動状態及びブレーキ解除状態をとり得るようになっている。
【００２７】
次にＰＴＯ伝動構造８０について説明する。
図３に示すように、本実施の形態においては、前記ＰＴＯ系伝動構造８０は、ＰＴＯクラッチ装置８１と、ＰＴＯ変速装置８２とを有している。
【００２８】
前記ＰＴＯクラッチ装置８１は、前記メインクラッチ５１を介して入力される前記エンジン５０からの回転動力を選択的に伝達又は遮断するように構成されている。
前記ＰＴＯ変速装置８２は、前記ＰＴＯクラッチ装置８１を介して入力される前記エンジン５０からの回転動力を変速して、前記ＰＴＯ軸９５へ向けて出力するように構成されている。
【００２９】
図４に、前記制御装置１００のブロック図を示す。
図４に示すように、本実施の形態においては、前記制御装置１００は、本機コントローラ１０１、エンジンコントローラ１０２及びメータコントローラ１０３等の複数のコントローラを有している。
【００３０】
前記複数のコントローラ１０１、１０２、１０３には、それぞれ、対応するセンサ及びアクチュエータが電気的に接続されており、前記複数のコントローラ１０１、１０２、１０３はＣＡＮ通信バス１０５を介して互いに電気的に接続されている。
【００３１】
前記各コントローラ１０１、１０２、１０３は、前記各種センサ等から入力される信号に基づいて演算処理を実行する制御演算手段を含む演算部（以下ＣＰＵという）と、制御プログラムや制御データ等を記憶するＲＯＭ，設定値等を電源を切っても失われない状態で保存し且つ前記設定値等が書き換え可能とされたＥＥＰＲＯＭ及び前記演算部による演算中に生成されるデータを一時的に保持するＲＡＭ等を含む記憶部とを備えている。
【００３２】
前記作業車輌１は、さらに、液晶表示部を有する表示装置を備えている。
前記表示装置は、例えば、前記運転席１５の前方に配設されたメーターパネル４００（図４参照））及び前記運転席１５の側方に配設されたサブディスプレイ４５０（図４参照）を含み得る。
【００３３】
前記メーターパネル４００は、例えば、前記エンジン５０の回転数を表示するタコメータと、前記作業車輌１に備えられる種々の制御モードの起動有無を表示する複数の表示ランプと、前記液晶表示部として作用する液晶ディスプレイ部とを有し得る。
前記サブディスプレイ４５０は、前記液晶表示部として作用する液晶ディスプレイ部を有し得る。
【００３４】
ここで、本実施の形態に係る前記作業車輌１に備えられたエンジン始動ロック機能について説明する。
【００３５】
前記エンジン始動ロック機能は、入力操作部材４８０（図４参照）を介して入力される入力認証情報が予め記憶されている記憶認証情報と一致した場合にのみ、キー部材１１０（図４参照）のスタート位置への操作に応じたスターターモーター５５（図４参照）によるエンジン５０（図４参照）の始動を許可するものである。
【００３６】
即ち、前記エンジン始動ロック機能を有さない作業車輌においては、キー部材をスタート位置に位置させると、スターターモータが起動されてエンジンを始動させるようになっている。
前記エンジン始動ロック機能は、このエンジン始動にパスワード認証による制限を掛けるものである。
【００３７】
具体的には、前記制御装置１００は、前記キー部材１１０のオフ位置からオン位置への操作に応じてエンジン始動制御モードを起動させる。
【００３８】
図５に、前記エンジン始動制御モードの制御フローを示す。
【００３９】
前記制御装置１００は、まず、エンジン始動ロック機能が有効とされているか否かを判断する（ステップＳ１）。
即ち、本実施の形態においては、エンジン始動ロック機能の有効化及び無効化を人為的に切替可能とされている。
このエンジン始動ロック機能の切替操作については後述する。
【００４０】
ステップＳ１においてＹＥＳの場合、即ち、エンジン始動ロック機能が有効とされている場合には、前記制御装置１００は、前記液晶表示部を認証画面へ移行させる（ステップＳ２）。
【００４１】
図６に、前記認証画面４５５の一例の模式図を示す。
前記制御装置１００には予めｎ桁（ｎは２以上の整数）の記憶認証情報が記憶されており、前記制御装置１００は、前記認証画面４５５に、前記記憶認証情報の桁数に応じた第１〜第ｎの表示枠を表示させる。
【００４２】
図６に示す例においては、前記記憶認証情報は４桁とされており、従って、第１〜第４４６０（１）〜４６０（４）の４つの表示枠が表示されている。
【００４３】
なお、前記記憶認証情報は、前記制御装置１００の記憶部、例えば、電源を切っても失われず且つ書き換え可能とされたＥＥＰＲＯＭに記憶され得る。
【００４４】
次いで、前記制御装置１００は、前記認証画面４５５において、前記入力操作部材４８０による入力認証情報の入力処理を行う（ステップＳ３）。
詳しくは、前記制御装置１００は、前記第１〜第ｎの表示枠（図６の例においては第１〜第４の表示枠４６０（１）〜４６０（４））のそれぞれに対して、前記入力操作部材４８０によって入力される記号を表示させる。
【００４５】
そして、前記制御装置１００は、前記入力認証情報の確定指令を受けて（ステップＳ４）、前記入力認証情報が前記記憶認証情報に一致するか否かの認証処理を行う。
【００４６】
かかる構成によれば、仮に、前記入力認証情報の入力ミスが生じたとしても、前記第１〜第ｎの表示枠に入力された記号のうち入力ミスの記号だけを再入力すれば良い。
従って、何らかの操作部材の操作回数を入力認証情報として用いている従来構成に比して、認証処理の際の操作性を向上させることができる。
【００４７】
前記制御装置１００は、前記第１〜第ｎの表示枠の全てに記号が入力された状態での何らかの操作部材への人為操作を前記確定指令として扱うことも可能であるし、若しくは、前記第１〜第ｎの表示枠の全てへの記号入力完了を前記確定指令として扱うことも可能である。
【００４８】
前記入力認証情報を入力する為の前記入力操作部材４８０は、種々の形態を取り得る。
本実施の形態においては、前記入力操作部材４８０として、軸線回りに回転される第１操作及び軸線方向に押圧される第２操作が可能とされた操作部材を利用している。
なお、図４中の符号４８０ａは、前記入力操作部材の操作状況を検出するセンサである。
【００４９】
本実施の形態においては、前記記憶認証情報は、ｎ桁のそれぞれの桁が所定の記号群の中から選択された記号によって形成され得る。
前記所定の記号群は、例えば、０〜９の数字Ａ〜Ｆの英文字とを含むものとされる。
【００５０】
かかる構成においては、前記制御装置１００は、前記ステップＳ３の処理として下記処理を行うように構成され得る。
【００５１】
即ち、前記制御装置１００は、前記液晶表示部が前記認証画面４５５に移行された状態において、前記第１の表示枠４６０（１）を入力可能状態とし、前記入力操作部材４８０への第１操作（回転操作）に応じて前記第１の表示枠４６０（１）に前記記号群（前記例示においては、０〜９及びＡ〜Ｆ）の記号を順番に表示させ、前記入力操作部材４８０への第２操作（押圧操作）が行われた時点で表示されている記号を当該第１の表示枠４６０（１）に入力される記号として仮確定させる。
【００５２】
前記制御装置１００は、次の表示枠４６０（２）を入力可能状態として同様の処理を行い、最終の第ｎの表示枠（図示の例においては第４の表示枠４６０（４））まで同様の処理を繰り返し、前記第１〜第ｎの表示枠のそれぞれに対して記号を仮確定させる。
【００５３】
この場合、前記ステップＳ４の入力認証情報の確定処理も、第１操作及び第２操作が可能とされた前記入力操作部材４８０を用いて行うように構成され得る。
【００５４】
即ち、図６に示すように、前記制御装置１００は、前記認証画面４５５に前記第１〜第ｎの表示枠（図示の例においては第１〜第４表示枠４６０（１）〜４６０（４））に加えて、確定アイコン４６５及びリターンアイコン４６６を表示させることができる。
【００５５】
その上で、前記制御装置１００は、最終の前記第ｎの表示枠（図示の例においては第４表示枠４６０（４））に対する前記入力操作部材４８０への第２操作が行われて、前記第１〜第ｎの表示枠（図示の例においては第１〜第４表示枠４６０（１）〜４６０（４））の全てに対する記号が仮確定されると、前記入力操作部材４８０への第１操作によって前記確定アイコン４６５及び前記リターンアイコン４６６が選択でき且つ前記入力操作部材４８０への第２操作によって選択中のアイコンを決定できる状態とさせ、前記確定アイコン４６５の決定操作を前記確定指令として扱うことができる。
【００５６】
なお、前記リターンアイコン４６６の決定操作が行われると、前記第１〜第ｎの表示枠（図示の例においては第１〜第４表示枠４６０（１）〜４６０（４））への記号入力処理へ戻される。
【００５７】
前記ステップＳ５においてＹＥＳの場合、即ち、前記入力認証情報が前記記憶認証情報に一致する場合には、前記制御装置１００は、エンジン始動許可フラグを出す（ステップＳ７）。
【００５８】
例えば、前記制御装置１００は、前記液晶表示部を前記認証画面４５５から標準画面（図示せず）へ移行させることで、操縦者にエンジン始動が許可されたことを告知することもできるし、前記認証画面４５５に許可通知を表示させてから標準画面へ移行することも可能である。
【００５９】
この状態においては、操縦者による前記キー部材４８０のスタート位置への操作に応じて、前記スターターモータ５５の作動が許可されて前記エンジン５０が始動する。
【００６０】
一方、前記ステップＳ５においてＮＯの場合、即ち、前記入力認証情報が前記記憶認証情報に不一致の場合には、前記制御装置１００は、エラー処理を行うことができる。
【００６１】
本実施の形態においては、前記エラー処理として、前記制御装置１００は、前記ステップＳ５での認証処理における不一致の回数が連続して所定回を越えると、前記エンジン５０の始動を所定期間に亘って禁止するように構成されている。
【００６２】
具体的には、前記制御装置１００は、前記ステップＳ５においてＮＯの場合には、認証処理回数のカウント数を１回増やし（ステップＳ１１）、カウントを増やした後の認証処理回数が所定回数以下であるかを判定し（ステップＳ１２）する。
【００６３】
そして、前記ステップＳ１２においてＮＯの場合、即ち、不一致の認証処理の回数が所定回数を超えた場合には、前記制御装置１００は、所定期間に亘って認証操作を禁止し、これにより、所定期間に亘って前記エンジン５０の始動を禁止するように構成されている。
【００６４】
なお、この場合には、前記ステップＳ５においてイエスの場合、即ち、前記入力認証情報が前記記憶認証情報に一致する場合に、前記制御装置１００は、前記カウントをゼロに戻す処理を行うものとされる（ステップＳ６）。
【００６５】
当然ながら、前記エラー処理として他の処理を行うことも可能である。
例えば、前記制御装置１００は、所定期間に亘る前記エンジン５０の始動禁止処理の代わりに、又は、加えて、前記ステップＳ５においてＮＯの場合には、前記液晶表示部にエラー表示を行うことができる。
【００６６】
本実施の形態においては、前記ステップＳ５における前記認証処理において一致判定が行われた結果、前記エンジン始動許可フラグが出されている状態においては、前記エンジン始動ロック機能の有効／無効の切替を人為的に選択操作し得るようになっている。
【００６７】
具体的には、前記制御装置１００は、前記エンジン始動許可フラグが出されている状態において、エンジン始動ロック機能の切替指令を入力すると（ステップＳ８においてＹＥＳの場合）、エンジン始動ロック機能切替用サブルーチンへ移行する（ステップＳ９）。
なお、エンジン始動ロック機能の切替指令は、例えば、専用の操作部材又は前記入力操作部材４８０の所定操作によって生成され得る。
【００６８】
図７に、前記エンジン始動ロック機能切替用サブルーチンの制御フローを示す。
【００６９】
前記制御装置１００は、エンジン始動ロック機能の切替指令を受けると（図５におけるステップＳ８でＹＥＳの場合）、前記液晶表示部をエンジン始動ロック機能切替画面（図示せず）へ移行させる。
【００７０】
前記制御装置１００は、前記切替画面を用いて、前記認証画面におけると同様の認証処理を行う。
【００７１】
即ち、前記制御装置１００は、前記切替画面に、前記記憶認証情報の桁数に応じた第１〜第ｎの表示枠を表示させる。
前記制御装置１００は、前記切替画面において、前記入力操作部材４８０による入力認証情報の入力処理を行う（ステップＳ２２）。
【００７２】
そして、前記制御装置１００は、前記入力認証情報の確定指令を受けて（ステップＳ２３）、前記入力認証情報が前記記憶認証情報に一致するか否かの認証処理を行う（ステップＳ２４）。
【００７３】
前記ステップＳ２４においてＮＯの場合には、前記制御装置１００は前記液晶表示部においてエラー表示を行い、前記サブルーチンを終了することができる。
【００７４】
一方、前記ステップＳ２４においてＹＥＳの場合には、前記制御装置１００は、人為指令信号に基づいてエンジン始動ロック機能を有効とするか否かの判断を行い（ステップＳ２５）、エンジン始動ロック機能の有効化又は無効化の処理を行う。
【００７５】
即ち、前記ステップＳ２５においてＮＯの場合、即ち、エンジン始動ロック機能を無効化させる人為指令信号が入力されると、前記制御装置１００は、エンジン始動ロック機能を無効化して（ステップＳ４１）、前記サブルーチンを終了する。
【００７６】
前記ステップＳ２５においてＹＥＳの場合、即ち、エンジン始動ロック機能を有効化させる人為指令信号が入力されると、前記制御装置１００は、エンジン始動ロック機能を有効化させる（ステップＳ２６）。
【００７７】
本実施の形態においては、エンジン始動ロック機能が有効化されている状態において、前記記憶認証情報の変更を行えるようになっている。
【００７８】
詳しくは、前記ステップＳ２６より処理工程下流側において、前記制御装置１００は、人為指令信号に基づき、前記記憶認証情報の変更要否を判断する（ステップＳ２７）。
【００７９】
前記ステップＳ２７においてＮＯの場合、即ち、前記記憶認証情報の変更が不要な場合には、前記制御装置１００は、前記サブルーチンを終了する。
この場合、その時点で記憶されている前記記憶認証情報がそのまま有効とされる。
【００８０】
前記ステップＳ２７においてＹＥＳの場合、即ち、前記記憶認証情報の変更が必要な場合には、前記制御装置１００は、新たな記憶認証情報の入力（ステップＳ２８）及びその確定（ステップＳ２９）を経て、新たな記憶認証情報を前記制御装置１００の記憶部、例えば、電源を切っても失われず且つ書き換え可能とされたＥＥＰＲＯＭに更新記憶する。
【００８１】
なお、新たな記憶認証情報の入力は、前記認証画面や前記切替画面における入力認証情報の入力と同様の方法で行うことができる。
【符号の説明】
【００８２】
１          作業車輌
５０        エンジン
５５        スターターモーター
１００      制御装置
１１０      キー部材
４００      メーターパネル（表示手段）
４５０      サブディスプレイ（表示手段）
４５５      認証画面
４６０      表示枠
４６５      確定アイコン
４６６      リターンアイコン
４８０      入力操作部材
【図１】
2016022915.tif 000003
【図２】
2016022915.tif 000004
【図３】
2016022915.tif 000005
【図４】
2016022915.tif 000006
【図５】
2016022915.tif 000007
【図６】
2016022915.tif 000008
【図７】
2016022915.tif 000009